【事件の表示】
　特願２０００−３１５７８１号「椅子」拒絶査定不服審判事件〔平成１４年　４月２３日出願公開、特開２００２−１１９３７５号〕について、次のとおり審決する。
【結　論】
　本件審判の請求は、成り立たない。
【理　由】
１．手続の経緯及び本願発明
　本願は、平成１２年１０月１６日の出願であって、その請求項１に係る発明（以下、「本願発明」という。）は、平成２１年１２月１１日付け手続補正により補正された特許請求の範囲の請求項１に記載された事項により特定される、以下のとおりのものである。
　
「【請求項１】
　背及び座を具備するとともに、着座者の腰部を支持し得る身体接触面たる背もたれ面下部を形成する張り部材と、前記張り部材が張り設けられて当該張り部材の左右両側縁部を支持し、且つ回転中心を前記背の上部に設定したサポートフレームとをさらに具備してなり、
　当該サポートフレームが回動して前方へ突出することにより前記背もたれ面下部を形成している張り部材を前方に突出させることを特徴とする椅子。」
　
２．引用刊行物の記載事項
＜刊行物１＞
　当審において通知した拒絶の理由に引用された刊行物である、実願昭６２−７２４２４号（実開昭６３−１７９８５３号）のマイクロフィルム（以下、「刊行物１」という。）には、下記の事項が図面とともに記載されている。
　
（ア）「第１図は本考案に係る自動車用シートを示し、シートバックにおける表面には装飾用の深溝（ａ）（ａ）が縦方向に設けてあり、着座部（ｂ）の左右には隆起状のサイドサポート部（ｃ）（ｃ）が配設され、また下部には腰椎支持部（ｄ）が設けてあり、この腰椎支持部（ｄ）はシートバック内に内蔵したランバーサポート装置の操作ハンドル（５１）を操作することにより、前後方向に移動して着座者の腰椎部を支持するように構成されている。」（第４頁第３行〜第１１行）
　
（イ）「表皮部材（１）は第８図に示すように身頃部（１１）と、この身頃部（１１）の上部のみが一体に縫着され、・・・その身頃部（１１）における腰椎支持面を下部身頃部（１ａ）とし、この下部身頃部（１ａ）の裏側周囲には布部材（１ａ）を縫着して袋状の収納部を形成して、第７図に示すように、前記クッション材（２）の腰椎支持用クッション材（２１ａ）を収納する。」（第５頁第２行〜第１２行）
　
（ウ）「図示する前記ランバーサポート装置は第９図に示すように、操作ハンドル（５１）と一体の操作軸（５２）にカム（５３）を固定し、このカム（５３）にシャフト（５５）に一体の伝動杆（５４）を当接すると共に、前記シャフト（５５）に取付杆（５７）（５７）を介してランバープレート（５６）を固着した構造である。従って、第２図の状態において、操作ハンドル（５１）を回動すると、カム（５３）が回転してそのカム（５３）の回転変位によってシャフト（５５）が回動し、ランバープレート（５６）が前方に回動する。そのため、前記腰椎支持用のクッション材（２１ａ）が第４図に示すように下部身頃部（１ａ）と共に前方に押し出し、着座者の腰椎部を支持する。」（第８頁第１３行〜第９頁第６行）
　
（エ）第１図には、シートバック及び座を具備した自動車用シートが示されている。
　
（オ）上記記載事項（ア）−（ウ）及び第１，６−８図から、表皮部材（１）の下部身頃部（１ａ）及び腰椎支持用クッション材（２１ａ）で腰椎支持部（ｄ）を形成しているといえる。
　
（カ）上記記載事項（ウ）から、シートバックの腰椎支持部（ｄ）を前方へ移動させるランバープレート（５６）は、表皮部材（１）の下部身頃部（１ａ）及び腰椎支持用クッション材（２１ａ）を支持しているといえる。また、上記記載事項（ウ）、第３，５及び９図から、ランバープレート（５６）の回転中心はシートバックに設定されているといえる。
　
　以上の記載事項及び図示内容から、刊行物１には、次の発明（以下、「引用発明１」という。）が記載されていると認められる。
　
「シートバック及び座を具備するとともに、着座者の腰椎部を支持する腰椎支持部（ｄ）を形成する下部身頃部（１ａ）及び腰椎支持用クッション材（２１ａ）と、当該下部身頃部（１ａ）及び腰椎支持用クッション材（２１ａ）を支持し、且つ回転中心を前記シートバックに設定したランバープレート（５６）とをさらに具備してなり、当該ランバープレート（５６）が前方に回動することにより前記腰椎支持部（ｄ）を形成している下部身頃部（１ａ）及び腰椎支持用クッション材（２１ａ）を前方に押し出すことを特徴とする自動車用シート。」
　
＜刊行物２＞
　当審において通知した拒絶の理由に引用された刊行物である、特表平８−５０７９３５号公報（以下、「刊行物２」という。）には、下記の事項が図面とともに記載されている。
　
（キ）「第１図〜第７図には、中間傾斜位置にある椅子３０の好ましい実施例が示されている。椅子３０はシート３２、背もたれ３４及び１対の肘掛け組立体３６を有する。」（第２６頁第２５行〜第２７行）
　
（ク）「椅子３０の他の特徴は、傾斜位置間で使用者の身体に倣うこと及び人間工学的に好ましい位置で身体を支持する補助をすることにある。例えば、シート３２は自動調節弾性膜２１０を有し、背もたれ３４は、任意の傾斜位置で使用者を快適に支持するための同様な膜２１２を有する。」（第３７頁第２０行〜第２３行）
　
（ケ）「第１９図及び第２０図には、ブレース部材２１８の他の実施例が示されている。この実施例では、背もたれフレーム６４の内縁部２２６が膜２１２から間隔を隔てられるように、背もたれフレーム６４が膜２１２に対して傾斜されている。好ましくは、ブレース部材２１８は楕円形であり且つゴム等の比較的柔らかい半剛性材料で作られる。第２０図に示すように、ブレース部材２１８は、背もたれの膜２１２に当接する内側面２２８を有する。ブレース部材２１８は、該ブレース部材の角度調節ができるように、背もたれフレーム６４の内縁部２２６に対し回転可能に取り付けられている。この角度調節により膜２１２が引っ張られ、使用者の背中の腰部領域に対する所望の支持位置及び支持量が得られる。例えば、ブレース部材２１８は、第２０図に実線で示す標準位置から破線で示す別の位置に回転できる。ブレース部材２１８が膜２１２に対する或る角度に回転されるとき、ブレース部材２１８の上縁部２３０及び下縁部２３２の各々が、使用者の背中を支持する快適な面領域を与える半径を有することが好ましい。
　ブレース部材２１８は、該ブレース部材の両端部に取り付けられる１対の回転コネクタ２３４、２３６によりフレーム６４に対し回転可能に取り付けられる。コネクタ２３４、２３６の構造は実質的に同一であるので、特にコネクタ２３４についてのみ説明する。コネクタ２３４は、フレームの縁部２２６を掴むことができるように、板２４０から垂直方向外方に延びた、垂直方向に整合する複数のフック部材２３８を有する。枢動ロッド２６２が板２４０から垂直方向内方に延び且つインサート２４４を介してボール−ソケット型構造内に受け入れられる。インサート２４４はブレース部材２１８のキャビティ２４６内に取り付けられ且つ、インサート２４４の軸線方向変位を防止すべくキャビティ内の対応する環状溝により受け入れられる複数の環状リブ２４８を有する。枢動ロッド２４２は、ブレース部材２１８を枢動させるべく該ブレース部材を操作するのに必要とされる充分な摩擦係合をもって、インサート２４４内に取り付けるのが好ましい。
　かくして、使用者の背中の腰部領域を所望の量及び位置で支持することができる調節可能なブレース部材２１８が提供される。また、コネクタ２３４、２３６は、ブレース部材２１８の垂直調節ができるようにフレームの縁部２２６に対して着脱可能に取り付けることができる。」（第３８頁第１７行〜第３９頁第１７行）
　
（コ）上記記載事項（ク）及び第１図から、背もたれ３４には膜２１２が張り設けられているといえる。
　
（サ）上記記載事項（ケ）、第１９図及び第２０図から、膜２１２には使用者の腰部を支持する部分が形成されているといえる。また、ブレース部材２１８は回転中心が背もたれ３４に設定されているといえる。
　
（シ）第２０図には、ブレース部材２１８が前方へ突出することにより膜２１２を前方に突出させる態様が示されている。
　
　以上の記載事項及び図示内容から、刊行物２には、次の発明（以下、「引用発明２」という。）が記載されていると認められる。
　
「背もたれ３４及びシート３２を有する椅子３０において、使用者の腰部を支持する部分を形成する膜２１２と、前記膜２１２が張り設けられて当該膜２１２を支持し、且つ回転中心を前記背もたれ３４に設定したブレース部材２１８とをさらに有し、当該ブレース部材２１８が回転して前方へ突出することにより前記使用者の腰部を支持する部分を形成している膜２１２を前方に突出させるようにしたもの。」
　
３．対比
　本願発明と引用発明１とを対比すると、その構造または機能から見て、引用発明１の「シートバック」は、本願発明の「背」に相当し、以下同様に、「ランバープレート（５６）」は「サポートフレーム」に、「前方に回動する」は「回動して前方へ突出する」に、「自動車用シート」は「椅子」に、それぞれ相当する。
　また、引用発明１の「着座者の腰椎部を支持する腰椎支持部（ｄ）」は、本願発明の「着座者の腰部を支持し得る身体接触面たる背もたれ面下部」に相当し、前者は「下部身頃部（１ａ）及び腰椎支持用クッション材（２１ａ）」で形成され、後者は「張り部材」で形成されていることから、両者は何らかの「部材」によって形成されている点で共通する。
　
　そこで、本願発明の用語を用いて表現すると、両者はともに、
「背及び座を具備するとともに、着座者の腰部を支持し得る身体接触面たる背もたれ面下部を形成する部材と、当該部材を支持し、且つ回転中心を前記背に設定したサポートフレームとをさらに具備してなり、当該サポートフレームが回動して前方へ突出することにより前記背もたれ面下部を形成している部材を前方に突出させる椅子。」
という点で一致し、以下の点で相違している。
　
［相違点１］
　本願発明では、背もたれ面下部を形成する「部材」が「張り部材」であり、「張り部材が張り設けられて当該張り部材の左右両側縁部」をサポートフレームが支持し、サポートフレームが回動して前方へ突出することにより「張り部材」を前方に突出させるのに対し、引用発明１では、そのような発明特定事項とはなっていない点。
　
［相違点２］
　本願発明では、サポートフレームの回転中心を背の「上部」に設定したのに対し、引用発明１では、サポートフレームの回転中心が背の上部に設定されているとはいえない点。
　
４．判断
　上記相違点について検討する。
　
［相違点１について］
　引用発明２は、背もたれ及びシートを有する椅子において、使用者の腰部を支持する部分を形成する膜と、前記膜が張り設けられて当該膜を支持し、且つ回転中心を前記背もたれに設定したブレース部材とをさらに有し、当該ブレース部材が回転して前方へ突出することにより前記使用者の腰部を支持する部分を形成している膜を前方に突出させるようにしたものであり、引用発明１と引用発明２とは、ともに、背及び座を具備し、着座者の腰部を支持する椅子という同一技術分野に属する発明であり、引用発明２のブレース部材は引用発明１のランバープレート（サポートフレーム）に相当するから、引用発明１に引用発明２を適用し、背もたれ面下部を形成する部材として、背もたれ面下部を膜（張り部材）で形成することにより、前記膜（張り部材）が張り設けられて当該膜（張り部材）をサポートフレームが支持するとともに、サポートフレームが回動して前方へ突出することにより膜（張り部材）を前方に突出させるようにすることは当業者が容易になし得ることである。
　その際、サポートフレームによって膜（張り部材）のどの部分を支持するかは、腰部の支持力や支持量等を考慮し、当業者が設計上適宜設定し得る事項であり、膜（張り部材）の左右両側縁部を支持する構成とすることは、当業者が適宜なし得る事項である。
　そうすると、引用発明１に引用発明２を適用して、相違点１に係る本願発明の発明特定事項のようにすることは、当業者が容易に想到し得ることである。
　
［相違点２について］
　引用発明１において、サポートフレームの回転中心を背のどの部分に設定するかは、サポートフレームの突出形態による着座者腰部の支持状態（腰部にフィットするかどうか）等を考慮し、当業者が適宜設定し得る事項であり、相違点２に係る本願発明の発明特定事項のように、サポートフレームの回転中心を背の上部に設定することは、当業者が容易になし得ることである。
　なお、請求人は、平成２１年１２月１１日付け意見書において、「回転中心を背の上部に設定しているので、前記刊行物１及び２記載の椅子と比較して、前記サポートフレームを全域にわたってより平行に突出させ、背もたれ面下部を着座者の臀部または腰部により適切にフィットさせることが可能であるという効果が得られます。これに対して、前記刊行物１及び２記載の発明では、・・・ランバーサポート部の背への枢着部位は背の高さ方向中央より下方であるので、ランバーサポート部の上端より下端が大きく突出することになります。」（第２頁第１３行〜第１９行）と主張している。
　しかしながら、本願発明と引用発明１におけるサポートフレームは、どちらも回動して前方へ突出するものであるので、本願発明におけるサポートフレームも、引用発明１のものと同様、サポートフレームの下端が上端より突出することは明らかであって、当該サポートフレーム下端の突出を上端に対してどの程度にするかは、上記したとおり、着座者腰部の支持状態等を考慮し、当業者が適宜設定し得る事項といえるので、請求人の上記主張は採用できない。
　
　さらに、本願発明による効果を検討しても、引用発明１及び引用発明２から当業者が予測し得る範囲のものであって、格別なものとはいえない。
　
５．むすび
　以上のとおり、本願の請求項１に係る発明は、刊行物１に記載された発明及び刊行物２に記載された発明に基づいて、当業者が容易に発明をすることができたものであるので、特許法第２９条第２項の規定により特許を受けることができない。
　したがって、他の請求項について検討するまでもなく、本願は拒絶すべきものである。
　よって、結論のとおり審決する。